(57)【要約】【課題】  外部記憶装置を備えた記録装置をスタンドアロンで利用するに際して、ユーザが煩わしい作業をすることなく外部記憶装置の記憶媒体のファイル管理を適切に実行できるようにする。【解決手段】  メモリカード１０１の使用領域容量の比率が６０％を超えている場合には（ステップＳ２でＹｅｓ）、最終記録日時が古いファイルから順に「削除候補ファイル」に分類し、削除候補確認画面を表示する（ステップＳ３）。「確定」ボタンが操作された場合には、「削除候補ファイル」に分類されているファイルを「削除対象ファイル」に分類する（ステップＳ４）。電源ＯＦＦ操作が行われた場合には、削除確認画面を表示する（ステップＳ８）。「削除実行」ボタンが操作された場合には、「削除対象ファイル」に分類されているファイルを削除し（ステップＳ１０）、電源ＯＦＦ制御を実行する（ステップＳ１１）。【選択図】図１６
2007331121.tif 000002
【特許請求の範囲】
【請求項１】
ユーザインタフェース手段と、被記録材への記録を実行可能な記録実行手段と、デジタル画像ファイルの読み込み及び書き込みが可能な外部記憶装置と、前記ユーザインタフェース手段におけるユーザ操作に基づいて前記記録実行手段による被記録材への記録制御及び前記外部記憶装置の制御を実行する記録制御装置とを備えた記録装置であって、
前記記録制御装置は、前記外部記憶装置で読み込み及び書き込みが可能な状態にある記憶媒体に保存されているデジタル画像ファイルのうち、所定の削除条件を充足するデジタル画像ファイルを自動的に削除する機能を有している、ことを特徴とした記録装置。
【請求項２】
請求項１において、前記削除条件は、前記記録実行手段で被記録材へ記録を実行済みという条件を有している、ことを特徴とした記録装置。
【請求項３】
請求項１又は２において、前記記録制御装置は、前記ユーザインタフェース手段を介してユーザが任意に特定したデジタル画像ファイルを保護対象ファイルとして分類し、保護対象ファイルに分類されているデジタル画像ファイルは前記削除条件を充足するか否かに関係なく削除対象から除外する機能を有している、ことを特徴とした記録装置。
【請求項４】
請求項１〜３のいずれか１項において、前記記録制御装置は、前記外部記憶装置で読み込み及び書き込みが可能な状態にある記憶媒体に保存されているデジタル画像ファイルのうち、所定の保護条件を充足するデジタル画像ファイルを自動的に保護対象ファイルとして分類し、保護対象ファイルに分類されているデジタル画像ファイルは前記削除条件を充足するか否かに関係なく削除対象から除外する機能を有している、ことを特徴とした記録装置。
【請求項５】
請求項１〜４のいずれか１項において、前記記録制御装置は、前記ユーザインタフェース手段を介してユーザが任意に前記削除条件を設定可能な機能を有している、ことを特徴とした記録装置。
【請求項６】
請求項５において、前記記録制御装置は、前記ユーザインタフェース手段を介してユーザが任意の前記削除条件を記憶媒体ごとに設定可能であるとともに、当該記憶媒体における削除条件情報を当該記憶媒体に保存する機能を有している、ことを特徴とした記録装置。
【請求項７】
請求項６において、前記記録制御装置は、所定の分類タイミングで当該記憶媒体に保存されている削除条件情報に基づいて、当該記憶媒体に保存されているデジタル画像ファイルのうち、当該削除条件を充足するデジタル画像ファイルを削除候補ファイルとして分類し、
前記ユーザインタフェース手段を介して前記削除候補ファイルの一覧をユーザに表示し、
前記ユーザインタフェース手段を介してユーザによる確認入力操作が行われた時点で前記削除候補ファイルを削除対象ファイルに分類し、
所定の削除タイミングで全ての削除対象ファイルを当該記憶媒体から削除する機能を有している、ことを特徴とした記録装置。
【請求項８】
請求項７において、前記記録制御装置は、前記削除候補ファイル、前記削除対象ファイル及び前記保護対象ファイルの分類情報を当該記憶媒体へ保存する機能を有している、ことを特徴とした記録装置。
【請求項９】
請求項７又は８において、前記記録制御装置は、前記ユーザインタフェース手段におけるユーザ操作によって、前記削除候補ファイルの一覧又は前記削除対象ファイルの一覧を被記録材へ記録する機能を有している、ことを特徴とした記録装置。
【請求項１０】
ユーザインタフェース手段と、被記録材への記録を実行可能な記録実行手段と、デジタル画像ファイルの読み込み及び書き込みが可能な外部記憶装置とを備えた記録装置において、前記ユーザインタフェース手段におけるユーザ操作に基づいて前記記録実行手段による被記録材への記録制御機能及び前記外部記憶装置を制御する機能をコンピュータに実現させるための記録制御プログラムであって、
前記外部記憶装置で読み込み及び書き込みが可能状態にある記憶媒体に保存されているデジタル画像ファイルのうち、所定の削除条件を充足するデジタル画像ファイルを自動的に削除する機能を実現する、ことを特徴とした記録制御プログラム。
【発明の詳細な説明】
【技術分野】
【０００１】
本発明は、ユーザインタフェース手段と、被記録材への記録を実行可能な記録実行手段と、デジタル画像ファイルの読み込み及び書き込みが可能な外部記憶装置とを備えた記録装置に関する。
【背景技術】
【０００２】
メモリカードスロットや光ディスクドライブ、ハードディスクドライブ等のデジタル画像ファイルの読み込み及び書き込みが可能な外部記憶装置を備えた記録装置が公知である。このような記録装置の多くは、いわゆるダイレクトプリント機能を有しており、内蔵のメモリカードスロットに挿入されたメモリカード等に記憶されているデジタル画像ファイルに基づいて、パーソナルコンピュータを接続することなく被記録材への記録を実行することができる。
【０００３】
ところで、近年のメモリカードや光ディスク等の記憶媒体は、膨大な数のデジタル画像ファイルを記憶することが可能なデータ容量の大きなものが普及しつつある。しかし、従来の外部記憶装置を備えた記録装置は、このメモリカードや光ディスク等の記憶媒体に保存されている大量のデジタル画像ファイルをユーザのニーズに応じて適切に管理する機能を有していないが一般的であった。そのため、ユーザは、メモリカードや光ディスク等の記憶媒体に保存されている大量のデジタル画像ファイルを管理するには、依然としてパーソナルコンピュータ等の記録装置以外の情報処理装置を利用せざるを得なかった。
【０００４】
また、メモリカードや光ディスク等の記憶媒体に保存されている各デジタル画像ファイルについて、被記録材への記録を実行済みか否かといった情報は、ユーザがメモリカードや光ディスク等の記憶媒体に保存されている大量のデジタル画像ファイルを整理整頓して適切に管理する上で重要な事項である。例えば、被記録材への記録を実行してデジタル写真プリントを作成したデジタル画像ファイルは、当該メモリカードや光ディスク等の記憶媒体から削除しても構わないと考えるユーザも少なくないと考えられる。
【０００５】
このようなユーザのニーズに有効な従来技術の一例としては、例えば、記録（印刷）済みの各データを縮小して画面に一覧表示する一覧出力手段を備えた出力制御装置が公知である（例えば、特許文献１を参照）。
【０００６】
【特許文献１】特開２００３−２６３３０３号公報
【発明の開示】
【発明が解決しようとする課題】
【０００７】
しかしながら、被記録材へ記録済みのデジタル画像ファイルを画面に一覧表示することができても、結局のところユーザは、記録済みのデジタル画像ファイルの一覧表示において、さらに他の要素も加味して不要なデジタル画像ファイルを選別した上で所定のファイル削除操作を行って記憶媒体から削除しなければならない。すなわち、メモリカードスロット等の外部記憶装置を備えた記録装置をスタンドアロンで利用するユーザにとっては、その記憶媒体に保存されている大量のデジタル画像ファイルの管理、特に不要なデジタル画像ファイルを記憶媒体から削除する作業は、手間と時間を要する煩わしい作業であった。そのため、従来の記録装置においては、ユーザにとって既に不要なデジタル画像ファイルが削除されないままメモリカード等の記憶媒体に蓄積された状態となり易く、その結果記憶媒体の空き領域がその不要なデジタル画像ファイルによって無駄に消費されてしまい、記憶媒体の全容量を有効に利用していない状態となってしまう虞があった。
【０００８】
本発明は、このような状況に鑑み成されたものであり、その課題は、外部記憶装置を備えた記録装置をスタンドアロンで利用するに際して、ユーザが煩わしい作業をすることなく外部記憶装置の記憶媒体のファイル管理を適切に実行できるようにすることにある。
【課題を解決するための手段】
【０００９】
上記課題を達成するため、本発明の第１の態様は、ユーザインタフェース手段と、被記録材への記録を実行可能な記録実行手段と、デジタル画像ファイルの読み込み及び書き込みが可能な外部記憶装置と、前記ユーザインタフェース手段におけるユーザ操作に基づいて前記記録実行手段による被記録材への記録制御及び前記外部記憶装置の制御を実行する記録制御装置とを備えた記録装置であって、前記記録制御装置は、前記外部記憶装置で読み込み及び書き込みが可能な状態にある記憶媒体に保存されているデジタル画像ファイルのうち、所定の削除条件を充足するデジタル画像ファイルを自動的に削除する機能を有している、ことを特徴とした記録装置である。
【００１０】
このように、記憶媒体に保存されているデジタル画像ファイルのうち、所定の削除条件を充足するデジタル画像ファイルを自動的に削除することによって、ユーザにとって既に不要なデジタル画像ファイルが削除されないままメモリカード等の記憶媒体に蓄積されてしまうことを防止することができる。それによって、その記憶媒体の空き領域が不要なデジタル画像ファイルによって無駄に消費されて記憶媒体の全容量を有効に利用していない状態となる虞を低減させることができる。すなわち、外部記憶装置を備えた記録装置をスタンドアロンで利用するに際して、ユーザが煩わしい作業をすることなく外部記憶装置の記憶媒体のファイル管理を適切に実行することができるという作用効果が得られる。
【００１１】
尚、外部記憶装置（external  storage  unit）とは、コンピュータの主記憶装置（メインメモリ）以外の電力を供給しなくても記憶したデータが消えないデータ記憶装置を全て含むものであり、例えば、ハードディスクドライブやＣＤ−ＲＷドライブ等のデータ記憶装置を意味し、「外部」とは、外付けという意味ではなく、外付け及び記録装置に内蔵された上記データ記憶装置を全て含むものである。  
また、記憶媒体（media）とは、デジタル画像ファイル等のデジタルデータを記憶しておくためのものであり、磁気的又は光学的に記憶を行うもの、或いはそれ以外の記憶方式によるものも全て含むものである。
【００１２】
本発明の第２の態様は、前述した第１の態様において、前記削除条件は、前記記録実行手段で被記録材へ記録を実行済みという条件を有している、ことを特徴とした記録装置である。  
例えば、被記録材への記録を実行してデジタル写真プリントを作成したデジタル画像ファイルは、当該メモリカードや光ディスク等の記憶媒体から削除しても構わないと考えるユーザも少なくないと考えられる。したがって、デジタル画像ファイルの削除条件に記録装置の記録実行手段で被記録材への記録を実行済みという条件を含ませることによって、記録実行済みのデジタル画像ファイルが当該記憶媒体から自動的に削除されるようにすることができる。
【００１３】
本発明の第３の態様は、前述した第１の態様又は第２の態様において、前記記録制御装置は、前記ユーザインタフェース手段を介してユーザが任意に特定したデジタル画像ファイルを保護対象ファイルとして分類し、保護対象ファイルに分類されているデジタル画像ファイルは前記削除条件を充足するか否かに関係なく削除対象から除外する機能を有している、ことを特徴とした記録装置である。  
このように、削除条件を充足するか否かに関係なくユーザが任意に選択した特定のファイルを削除対象から除外できることによって、ユーザが自動削除を望まないデジタル画像ファイルを削除対象から確実に除外することができる。したがって、ユーザが削除を望まないデジタル画像ファイルが当該記憶媒体からユーザの意に反して自動削除されてしまうことを防止することができる。
【００１４】
本発明の第４の態様は、前述した第１〜第３の態様のいずれかにおいて、前記記録制御装置は、前記外部記憶装置で読み込み及び書き込みが可能な状態にある記憶媒体に保存されているデジタル画像ファイルのうち、所定の保護条件を充足するデジタル画像ファイルを自動的に保護対象ファイルとして分類し、保護対象ファイルに分類されているデジタル画像ファイルは前記削除条件を充足するか否かに関係なく削除対象から除外する機能を有している、ことを特徴とした記録装置である。  
このように、削除条件を充足するか否かに関係なく所定の保護条件を充足するデジタル画像ファイルを削除対象から自動的に除外することができるので、ユーザが自動削除を望まないデジタル画像ファイルを削除対象から自動的かつ確実に除外することができる。したがって、所定の保護条件を充足するユーザが削除を望まないデジタル画像ファイルが当該記憶媒体からユーザの意に反して自動削除されてしまうことを自動的に防止することができる。
【００１５】
本発明の第５の態様は、前述した第１〜第４の態様のいずれかにおいて、前記記録制御装置は、前記ユーザインタフェース手段を介してユーザが任意に前記削除条件を設定可能な機能を有している、ことを特徴とした記録装置である。  
このように、ユーザが任意に削除条件を設定することができるので、ユーザ個々の用途に応じた適切なデジタル画像ファイルの自動削除が可能になり、それによって、ユーザ個々の用途に応じた適切なデジタル画像ファイルの自動管理を実現することができる。
【００１６】
本発明の第６の態様は、前述した第５の態様において、前記記録制御装置は、前記ユーザインタフェース手段を介してユーザが任意の前記削除条件を記憶媒体ごとに設定可能であるとともに、当該記憶媒体における削除条件情報を当該記憶媒体に保存する機能を有している、ことを特徴とした記録装置である。  
このように、記憶媒体ごとに異なるデジタル画像ファイルの削除条件を設定することができるので、記憶媒体に保存されているデジタル画像ファイルの内容等に応じて、より柔軟かつ詳細な削除条件によるデジタル画像ファイルの自動削除を実現することが可能になる。
【００１７】
本発明の第７の態様は、前述した第６の態様において、前記記録制御装置は、所定の分類タイミングで当該記憶媒体に保存されている削除条件情報に基づいて、当該記憶媒体に保存されているデジタル画像ファイルのうち、当該削除条件を充足するデジタル画像ファイルを削除候補ファイルとして分類し、前記ユーザインタフェース手段を介して前記削除候補ファイルの一覧をユーザに表示し、前記ユーザインタフェース手段を介してユーザによる確認入力操作が行われた時点で前記削除候補ファイルを削除対象ファイルに分類し、所定の削除タイミングで全ての削除対象ファイルを当該記憶媒体から削除する機能を有している、ことを特徴とした記録装置である。
【００１８】
所定の削除条件を充足したデジタル画像ファイルを全て画一的に自動削除されるため、その中にはユーザが削除を望まないデジタル画像ファイルが含まれてしまう可能性もある。そこで、記憶媒体に保存されているデジタル画像ファイルのうち、所定の削除条件を充足したデジタル画像ファイルは、そのまま自動削除の対象となる削除対象ファイルに分類せずに、まずは削除対象の前段階として一旦削除候補ファイルとして分類する。そして、ユーザに対してその削除候補ファイルの一覧を表示し、ユーザの確認入力がなされた時点で、その削除候補ファイルを削除対象ファイルに分類する。それによって、ユーザは、削除条件を充足したデジタル画像ファイルが自動削除される前に、それらを本当に削除して良いか否かを個々に確認する機会を得ることができるので、ユーザが削除を望まないデジタル画像ファイルが自動削除されてしまう虞をより低減させることができる。
【００１９】
本発明の第８の態様は、前述した第７の態様において、前記記録制御装置は、前記削除候補ファイル、前記削除対象ファイル及び前記保護対象ファイルの分類情報を当該記憶媒体へ保存する機能を有している、ことを特徴とした記録装置である。  
このように、記憶媒体に保存されているデジタル画像ファイルの分類情報を、その記憶媒体に保存しておくことによって、記憶媒体ごとにデジタル画像ファイルを管理することができる。
【００２０】
本発明の第９の態様は、前述した第７態様又は第８の態様において、前記記録制御装置は、前記ユーザインタフェース手段におけるユーザ操作によって、前記削除候補ファイルの一覧又は前記削除対象ファイルの一覧を被記録材へ記録する機能を有している、ことを特徴とした記録装置である。  
ユーザは、被記録材へ記録された削除候補ファイル若しくは削除対象ファイルのファイル名又は画像の一覧を観ながら削除の可否を判断することができる。そのため、特に削除候補ファイル又は削除対象ファイルのファイル数が多い場合には、ユーザインタフェース手段を介して削除候補ファイル又は削除対象ファイルの一覧を参照するよりも短時間で正確に各デジタル画像ファイルの削除の可否を判断することができる。
【００２１】
本発明の第１０の態様は、ユーザインタフェース手段と、被記録材への記録を実行可能な記録実行手段と、デジタル画像ファイルの読み込み及び書き込みが可能な外部記憶装置とを備えた記録装置において、前記ユーザインタフェース手段におけるユーザ操作に基づいて前記記録実行手段による被記録材への記録制御機能及び前記外部記憶装置を制御する機能をコンピュータに実現させるための記録制御プログラムであって、前記外部記憶装置で読み込み及び書き込みが可能状態にある記憶媒体に保存されているデジタル画像ファイルのうち、所定の削除条件を充足するデジタル画像ファイルを自動的に削除する機能を実現する、ことを特徴とした記録制御プログラムである。  
本発明の第１０の態様に記載の記録制御プログラムによれば、この記録制御プログラムを実行可能なコンピュータを備えた任意の記録装置に、前述した第１の態様に記載の発明と同様の作用効果をもたらすことができる。
【発明を実施するための最良の形態】
【００２２】
以下、本発明の実施の形態を図面に基づいて説明する。  
図１は、本発明に係る「記録装置」としてのインクジェットプリンタ５０の概略構成図である。図２は、本発明に係る「記録装置」としてのインクジェットプリンタ５０のブロック図である。  
本発明に係る「記録装置」としてのインクジェットプリンタ５０は、「記録装置本体」としてのプリンタ本体５１とドッキングステーション５２とで構成されている。プリンタ本体５１とドッキングステーション５２は、それぞれ独自の制御装置を有しており、プリンタ本体５１はプリンタ制御装置１０によって制御され、ドッキングステーション５２はステーション制御装置２０によって制御され、それぞれ単独で動作することが可能な構成を有している。また、プリンタ本体５１をドッキングステーション５２に接続（ドッキング）した状態で、プリンタ制御装置１０とステーション制御装置２０とが相互に情報伝送可能に接続される。このプリンタ制御装置１０及びステーション制御装置２０は、それぞれ図示していないＣＰＵ（Central Processing Unit）、ＲＯＭ（Read Only Memory）、ＲＡＭ（Random Access
Memory）等を有する公知のマイコン制御回路で構成されている。そして、プリンタ制御装置１０とステーション制御装置２０とでインクジェットプリンタ５０の制御装置１００が構成される。
【００２３】
プリンタ本体５１は、単体でも記録紙Ｐへの記録（プリント）を実行することができる構成を有しており、「被記録材」としての記録紙Ｐの記録面に記録ヘッド（図示せず）からインクを噴射して記録を実行可能な構成を有する記録実行手段４０を有している。また、プリンタ本体５１は、電源スイッチＳＷ、ユーザによる記録実行操作機能を実現する「ユーザインタフェース手段」としての操作パネル５６、「記憶媒体」としてのメモリカード１０１に対してデジタル画像ファイルの読み込み及び書き込みが可能な「外部記憶装置」としてのカードスロット５７及び前記のプリンタ制御装置１０を備えている。プリンタ制御装置１０は、記録制御部１１、ＵＳＢインタフェース部１２、カードインタフェース部１３及びユーザインタフェース部１５を有している。
【００２４】
カードインタフェース部１３は、カードスロット５７に挿入されたメモリカード１０１とのデータ入出力を実現し、メモリカード１０１に保存されているデジタル画像ファイルを入力することができる。ＵＳＢインタフェース部１２は、ＤＳＣ（デジタル・スチル・カメラ）１０２等のデジタル画像処理装置とのデータ入出力を実現するとともに、プリンタ制御装置１０とステーション制御装置２０との間のＵＳＢデータ通信を実現する機能を有している。記録制御部１１は、ＵＳＢインタフェース部１２又はカードインタフェース部１３を介して入力されたデジタル画像ファイルに基づいて、記録実行手段４０を駆動制御して記録紙Ｐの記録面へ画像を記録する。ユーザインタフェース部１５は、操作パネル５６におけるユーザインタフェース機能を実現する。
【００２５】
ドッキングステーション５２は、プリンタ本体５１と接続された状態でインクジェットプリンタ５０の一部を構成するとともに、プリンタ本体５１から分離可能な構成を有する専用の機能拡張ユニットである。ドッキングステーション５２は、「外部記憶装置」としてのＣＤ−ＲＷドライブ５３、リモコン受信回路５４及び前記のステーション制御装置２０を備えている。ＣＤ−ＲＷドライブ５３は、「記憶媒体」としてのＣＤ−ＲＷメディア５３１からのデータ読み込み機能及びＣＤ−ＲＷメディア５３１へのデータ書き込み機能を有している。リモコン受信回路５４は、リモコン６０によるドッキングステーション５２の電源ＯＮ／ＯＦＦ操作等が可能な構成を有している。
【００２６】
つづいて、操作パネル５６におけるユーザ操作に基づいて記録実行手段４０による記録紙Ｐへの記録制御及びカードスロット５７とＣＤ−ＲＷドライブ５３の制御を実行する「記録制御装置」としての制御装置１００により実現されるインクジェットプリンタ５０のデジタル画像ファイルの管理機能について説明する。
【００２７】
図３は、操作パネル５６の表示画面の画面遷移図である。  
図４は画像管理画面を、図５は削除条件設定画面を、図６は確認タイミング設定画面を、図７は保護条件設定画面を、それぞれ模式的に図示したものである。図８は、「削除条件」の一覧である。
【００２８】
画像管理画面（図４）は、カードスロット５７に挿入されているメモリカード１０１又はＣＤ−ＲＷドライブ５３に挿入されているＣＤ−ＲＷメディア５３１に保存されているデジタル画像ファイルの一覧が表示される。このデジタル画像ファイルの一覧は、サムネイル画像又はファイル名のいずれかを選択して表示させることができる。画像管理画面においては、デジタル画像ファイルの一覧表示を観ながら、カーソル移動等の操作によって、メモリカード１０１又はＣＤ−ＲＷメディア５３１に保存されているデジタル画像ファイルを選択して、「削除候補ファイル」、「削除対象ファイル」又は「保護対象ファイル」（保護ＯＮ／ＯＦＦ）、或いは、そのいずれでもない状態に手動で個々に分類することができる。
【００２９】
削除条件設定画面（図５）は、カードスロット５７に挿入されているメモリカード１０１又はＣＤ−ＲＷドライブ５３に挿入されているＣＤ−ＲＷメディア５３１に保存されているデジタル画像ファイルを自動的に削除する所定の「削除条件」をユーザが任意に設定するための設定画面である。この「削除条件」は、例えば、図８に図示した「削除条件」の一覧にあるような条件で設定することができるが、特にこれらに限定されるものではない。
【００３０】
この「削除条件」は、例えば、メモリカード１０１又はＣＤ−ＲＷメディア５３１における全容量に対する使用領域容量の比率（容量の比率）で設定することができる。より具体的には、比率として０〜１００％の整数値を指定する。使用領域がその比率を超えた場合には、管理項目に設定されている条件に基づいて、その超えた分の容量に相当するデジタル画像ファイルが「削除条件」を充足することになる。この管理項目は、例えば、デジタル画像ファイルの作成日時、最終更新日時、最終アクセス日時又は撮影日時等を設定する。各デジタル画像ファイルについて、この管理項目に設定された情報（日時）をデジタル画像ファイルのプロパティやＥｘｉｆ情報等を参照して取得し、最も古い日付のデジタル画像ファイルから順に「削除候補ファイル」に分類されることになる。
【００３１】
また、この「削除条件」は、例えば、メモリカード１０１又はＣＤ−ＲＷメディア５３１に保存されているデジタル画像ファイルの数の最大ファイル数で設定することもできる。より具体的には、任意の最大ファイル数を整数値で指定する。ファイル数がその最大ファイル数を超えた場合には、管理項目に設定されている条件に基づいて、その超えた分の数のデジタル画像ファイルが「削除条件」を充足することになる。この管理項目は、例えば、デジタル画像ファイルの作成日時、最終更新日時、最終アクセス日時又は撮影日時等を設定する。各デジタル画像ファイルについて、この管理項目に設定された情報（日時）をデジタル画像ファイルのプロパティやＥｘｉｆ情報等を参照して取得し、最も古い日付のデジタル画像ファイルから順に「削除候補ファイル」に分類されることになる。
【００３２】
さらに、この「削除条件」は、例えば、メモリカード１０１又はＣＤ−ＲＷメディア５３１に保存されているデジタル画像ファイルのうち、記録実行手段４０で記録紙Ｐに記録（印刷）済みのファイルを「削除候補ファイル」に分類するという条件を設定することもできる。或いは、インクジェットプリンタ５０のシステム終了時に「保護対象ファイル」以外の全てのデジタル画像ファイルを「削除候補ファイル」に分類するという条件を設定することもできる。或いは、任意に選択した管理項目の情報（日時）から任意に設定した経過時間を経過していることをもって「削除候補ファイル」に分類するという条件を設定することもできる。さらには、これらの「削除条件」を個々に有効又は無効として複数の条件を組み合わせて設定することもできる。
【００３３】
尚、ユーザが任意に設定した「削除条件」は、記憶媒体（メモリカード１０１やＣＤ−ＲＷメディア５３１等）ごとに設定可能であるとともに、当該記憶媒体における削除条件情報を当該記憶媒体に保存することができる。それによって、記憶媒体に保存されているデジタル画像ファイルの内容等に応じて、より柔軟かつ詳細な「削除条件」によるデジタル画像ファイルの自動削除が可能になる。或いは、プリンタ制御装置１０又はステーション制御装置２０の不揮発性メモリ（図示せず）等に保存しても良い。
【００３４】
確認タイミング設定画面（図６）は、「削除候補ファイル」に分類されているデジタル画像ファイルを「削除対象ファイル」に自動的に分類するタイミング及び「削除対象ファイル」に分類されているデジタル画像ファイルをメモリカード１０１又はＣＤ−ＲＷメディア５３１から自動的に削除するタイミングを設定するための設定画面である。設定するタイミングとしては、例えば、インクジェットプリンタ５０のシステム起動時、メモリカード１０１若しくはＣＤ−ＲＷメディア５３１の挿入時若しくは取り出し時、記録紙Ｐへの記録（印刷）完了時又はインクジェットプリンタ５０のシステム終了時等である。確認タイミング設定画面でこれらのチェックボックスのいずれか又は複数をチェック（指定）して組み合わせた設定を、「削除対象ファイル」に自動的に分類するタイミング及び「削除対象ファイル」を自動的に削除するタイミングのそれぞれについて個別に設定することができる。
【００３５】
また、確認タイミング設定画面（図６）においては、「削除対象ファイル」に自動的に分類するタイミング及び「削除対象ファイル」を自動的に削除するタイミングのそれぞれについて、そのタイミングで確認画面を表示するか否かを設定することができる。削除候補確認のチェックボックスをチェック（指定）しておけば、「削除候補ファイル」に分類されているデジタル画像ファイルを「削除対象ファイル」に自動的に分類するタイミングで後述する削除候補確認画面（図１０）が表示される。一方、削除候補確認のチェックボックスをチェック（指定）しなければ、確認画面が表示されることなく、設定されたタイミングで「削除候補ファイル」に分類されているデジタル画像ファイルが「削除対象ファイル」に自動的に分類される。削除確認のチェックボックスをチェック（指定）しておけば、「削除対象ファイル」を自動的に削除するタイミングで後述する削除確認画面（図１２）が表示され、チェック（指定）しなければ、確認画面が表示されることなく、設定されたタイミングで「削除対象ファイル」が自動的に削除される。
【００３６】
尚、確認タイミング設定画面における各設定は、例えば、プリンタ制御装置１０又はステーション制御装置２０の不揮発性メモリ（図示せず）に保存しても良いし、記憶媒体（メモリカード１０１やＣＤ−ＲＷメディア５３１等）に保存するようにしても良い。
【００３７】
このように、所定の「削除条件」を充足したデジタル画像ファイルは、そのまま自動削除の対象となる「削除対象ファイル」に分類せずに、まずは一旦「削除候補ファイル」として分類するようにする。そして、ユーザに対して「削除候補ファイル」の一覧を表示し、ユーザの確認入力がなされた時点で、その「削除候補ファイル」を「削除対象ファイル」に分類する。それによって、ユーザは、「削除条件」を充足したデジタル画像ファイルが自動削除される前に削除の可否を個々に確認する機会を得ることができるので、ユーザが削除を望まないデジタル画像ファイルが自動削除されてしまう虞をより低減させることができる。また、デジタル画像ファイルの分類タイミングや削除タイミングをユーザが任意に設定することができるので、ユーザの使い勝手をより向上させることができる。
【００３８】
保護条件設定画面（図７）は、メモリカード１０１又はＣＤ−ＲＷメディア５３１に保存されているデジタル画像ファイルを「保護対象ファイル」に自動的に分類する条件及びタイミングを設定するための設定画面である。設定する条件としては、例えば、記録紙Ｐへの記録（印刷）を実行済み等である。また、保護条件を充足したデジタル画像ファイルを「保護対象ファイル」に自動的に分類するタイミングとしては、例えば、インクジェットプリンタ５０のシステム終了時や任意に選択した管理項目の情報（日時）から任意に設定した経過時間を経過したタイミング等である。保護条件設定画面でこれらのチェックボックスのいずれか又は複数をチェック（指定）して組み合わせた設定を、デジタル画像ファイルを「保護対象ファイル」に自動的に分類する条件及びタイミングとして設定することができる。
【００３９】
尚、ユーザが任意に設定した「保護条件」は、記憶媒体（メモリカード１０１やＣＤ−ＲＷメディア５３１等）ごとに設定可能であるとともに、当該記憶媒体における保護条件情報を当該記憶媒体に保存することができる。それによって、記憶媒体に保存されているデジタル画像ファイルの内容等に応じて、より柔軟かつ詳細な「保護条件」によるデジタル画像ファイルの自動保護が可能になる。或いは、プリンタ制御装置１０又はステーション制御装置２０の不揮発性メモリ（図示せず）等に保存しても良い。
【００４０】
「保護対象ファイル」に自動的に分類される対象となるデジタル画像ファイルは、メモリカード１０１又はＣＤ−ＲＷメディア５３１に保存されているデジタル画像ファイルの全てである。すなわち、既に「削除候補ファイル」及び「削除対象ファイル」に分類されているデジタル画像ファイルであっても、保護条件設定画面で設定した条件が優先適用されることとなり、「保護対象ファイル」に自動的に分類する条件を充足すれば、設定したタイミングで「保護対象ファイル」に自動的に分類されて保護されることとなる。そして、「保護対象ファイル」に分類されているデジタル画像ファイルは、「削除条件」を充足しても自動的に「削除候補ファイル」に分類されることはない。つまり、「保護対象ファイル」に分類されているデジタル画像ファイルは、削除条件を充足するか否かに関係なく削除対象から除外されて保護されるので、自動的に「削除対象ファイル」に分類されることも自動的に削除されてしまうこともない。
【００４１】
尚、「削除候補ファイル」、「削除対象ファイル」及び「保護対象ファイル」の分類情報は、後述するファイル管理情報（図１５）として、その記憶媒体（メモリカード１０１やＣＤ−ＲＷメディア５３１等）へそれぞれ保存される。それによって、記憶媒体ごとにデジタル画像ファイルを管理することができる。
【００４２】
図９は、削除候補確認画面の遷移条件を図示した遷移図であり、図１０は、削除候補確認画面を模式的に図示したものである。  
削除候補確認画面（図１０）は、確認タイミング設定画面（図６）において、削除候補確認のチェックボックスをチェック（指定）しておけば、「削除条件」を充足して「削除候補ファイル」に分類されているデジタル画像ファイルを「削除対象ファイル」に自動的に分類するタイミング（削除対象を確定するタイミング）で表示される。この削除候補確認画面には、ユーザが任意に設定した「削除条件」を充足したデジタル画像ファイルの一覧が表示されるとともに、これらのデジタル画像ファイルが「削除条件」を充足して所定の削除タイミングで削除される予定である旨のメッセージが図示の如く表示される。このデジタル画像ファイルの一覧は、サムネイル画像又はファイル名のいずれかを選択して表示させることができる。ユーザは、カーソル移動等の操作によって、「削除候補ファイル」の一覧表示及び該当する削除条件の内容を観ながら所望の「削除候補ファイル」を選択して「削除対象ファイル」又は「保護対象ファイル」（保護ＯＮ／ＯＦＦ）、或いは、そのいずれでもない状態に手動で個々に分類を変更することができる。
【００４３】
また、削除候補確認画面（図１０）においては、「保留」ボタンを操作すると、次回の確認タイミングに持ち越されて、そのまま操作パネル５６の表示画面が元の画面に遷移し、「確定」ボタンを操作すると、「削除候補ファイル」に分類されているデジタル画像ファイルが「削除対象ファイル」に分類される。さらに、削除候補確認画面（図１０）においては、「一覧を印刷」ボタンを操作すると、「削除候補ファイル」に分類されているデジタル画像ファイルの一覧が記録実行手段４０によって記録紙Ｐに記録（印刷）される。ユーザは、記録紙Ｐへ記録された「削除候補ファイル」のファイル名又は画像の一覧及び該当する削除条件の内容等を観ながら削除の可否を判断することができる。それによって、特に「削除候補ファイル」のファイル数が多い場合には、操作パネル５６の表示画面を介して「削除候補ファイル」の一覧を参照するよりも短時間で正確に各デジタル画像ファイルの削除の可否を判断することができる。  
尚、画面上の各ボタンは、プログラムにより任意に機能を割り当てることが可能ないわゆるファンクションキー（図示せず）を操作パネル５６に設けて対応させても良いし、操作パネル５６の表示画面をいわゆるタッチパネルで構成して画面上のボタン表示を直接手で操作できるようにしても良い。以下、同様である。
【００４４】
図１１は、削除確認画面の遷移条件を図示した遷移図であり、図１２は、削除確認画面を模式的に図示したものである。図１３は、削除対象一覧画面を模式的に図示したものである。  
削除確認画面（図１２）は、確認タイミング設定画面（図６）において、削除確認のチェックボックスをチェック（指定）しておけば、「削除対象ファイル」を自動的に削除するタイミングで表示される。この削除確認画面には、「削除対象ファイル」に分類されているデジタル画像ファイルを削除して良いかどうかをユーザに確認する旨のメッセージが図示の如く表示される。また、削除確認画面においては、「保留」ボタンを操作すると、次回の確認タイミングに持ち越されて、そのまま操作パネル５６の表示画面が元の画面に遷移し、「削除実行」ボタンを操作すると、「削除対象ファイル」に分類されているデジタル画像ファイルが全てメモリカード１０１又はＣＤ−ＲＷメディア５３１から削除される。さらに、削除確認画面（図１２）においては、「削除対象一覧表示」ボタンを操作すると、操作パネル５６の表示画面が削除対象一覧画面（図１３）に遷移する。
【００４５】
この削除対象一覧画面（図１３）には、「削除対象ファイル」に分類されているデジタル画像ファイルの一覧が表示される。このデジタル画像ファイルの一覧は、サムネイル画像又はファイル名のいずれかを選択して表示させることができる。ユーザは、カーソル移動等の操作によって、「削除対象ファイル」の一覧表示を観ながら所望の「削除対象ファイル」を選択して「削除候補ファイル」又は「保護対象ファイル」（保護ＯＮ／ＯＦＦ）、或いは、そのいずれでもない状態に手動で個々に分類を変更することができる。そして、「確認」ボタンを操作することによって、削除確認画面（図１２）へ戻ることができる。また、「一覧を印刷」ボタンを操作すると、「削除対象ファイル」に分類されているデジタル画像ファイルの一覧が記録実行手段４０によって記録紙Ｐに記録（印刷）される。ユーザは、記録紙Ｐへ記録された「削除対象ファイル」のファイル名又は画像の一覧を観ながら削除の可否を判断することができる。それによって、特に「削除対象ファイル」のファイル数が多い場合には、操作パネル５６の表示画面を介して「削除対象ファイル」の一覧を参照するよりも短時間で正確に各デジタル画像ファイルの削除の可否を判断することができる。
【００４６】
図１４は、メモリカード１０１又はＣＤ−ＲＷメディア５３１に保存されているデジタル画像ファイルの分類の遷移状態を図示した遷移図である。  
ユーザが任意に設定した「削除条件」を充足していない削除条件外のデジタル画像ファイルは、その「削除条件」を充足したタイミングで「削除候補ファイル」に分類される（タイミングＴ１）。「削除候補ファイル」に分類されているデジタル画像ファイルは、確認タイミング設定画面（図６）で設定された削除候補確認タイミング又は削除候補確認画面（図１０）の「確定」ボタンが操作されたタイミングで「削除対象ファイル」に分類される（タイミングＴ２）。「削除対象ファイル」に分類されているデジタル画像ファイルは、確認タイミング設定画面（図６）で設定された削除確認タイミング又は削除確認画面（図１２）の「削除実行」ボタンが操作されたタイミングで削除されて削除済みとなり、ファイル管理情報からも削除される（タイミングＴ３）。  
また、削除条件外のデジタル画像ファイルは、所定の「保護条件」を充足したタイミング又は画像管理画面（図３）におけるユーザの手動操作により保護設定（保護ＯＮ）がなされたタイミングで「保護対象ファイル」に分類される（タイミングＴ４）。
【００４７】
さらに、「削除候補ファイル」に分類されているデジタル画像ファイルは、所定の「保護条件」を充足したタイミング又は削除候補確認画面（図１０）におけるユーザの手動操作により保護設定（保護ＯＮ）がなされたタイミングで「保護対象ファイル」に分類される（タイミングＴ５）。「削除対象ファイル」に分類されているデジタル画像ファイルは、所定の「保護条件」を充足したタイミング又は削除対象一覧画面（図１３）におけるユーザの手動操作により保護設定（保護ＯＮ）がなされたタイミングで「保護対象ファイル」に分類される（タイミングＴ６）。  
そして、「保護対象ファイル」に分類されているデジタル画像ファイルは、画像管理画面（図３）におけるユーザの手動操作により保護解除（保護ＯＦＦ）がなされたタイミングでのみ、削除条件外に分類される（タイミングＴ７）。
【００４８】
図１５は、ファイル管理情報の一例を示した一覧表である。  
上述したファイル管理機能は、メモリカード１０１やＣＤ−ＲＷメディア５３１等の「記憶媒体」ごとに作成されて、その「記憶媒体」にそれぞれ保存されるファイル管理情報に基づいて実行される。このファイル管理情報の管理項目としては、例えば、ファイル名、ファイルの作成日時、ファイルの最終更新日時及びファイルの最終アクセス日時等が挙げられる。これらの情報は、その「記憶媒体」に保存されている各デジタル画像ファイルのプロパティを参照する等により取得することができる。また、他の情報としては、例えば、デジタル画像ファイルの撮影日時等が挙げられる。これらの情報は、その「記憶媒体」に保存されている各デジタル画像ファイルのＥｘｉｆ情報等を参照する等により取得することができる。さらに、他の情報としては、上述した「削除候補ファイル」、「削除対象ファイル」又は「保護対象ファイル」のいずれに分類されているかを示す分類情報（ＯＮ／ＯＦＦ又は有効／無効）の設定等が挙げられる。
【００４９】
ファイル管理情報は、カードスロット５７にメモリカード１０１が挿入された時点又はＣＤ−ＲＷドライブ５３にＣＤ−ＲＷメディア５３１が挿入された時点で、そのメモリカード１０１又はＣＤ−ＲＷメディア５３１にファイル管理情報が存在しない場合には、新規に作成される。また、メモリカード１０１又はＣＤ−ＲＷメディア５３１に保存されているファイル管理情報は、そのメモリカード１０１又はＣＤ−ＲＷメディア５３１に保存されているデジタル画像ファイルの追加や削除等に応じて随時更新され、全てのデジタル画像ファイルが削除されている場合には削除される。そして、そのメモリカード１０１又はＣＤ−ＲＷメディア５３１が書き込み不可である場合には、ファイル管理情報は作成されず、その場合には、全てのデジタル画像ファイルが「保護対象ファイル」として取り扱われる。
【００５０】
つづいて、制御装置１００によるファイル管理手順について、フローチャートを参照しながら説明する。
【００５１】
図１６は、ファイル管理手順の第１実施例を示したフローチャートである。  
第１実施例においては、メモリカード１０１又はＣＤ−ＲＷメディア５３１における全容量に対する使用領域容量の比率（容量の比率）が「削除条件」として指定されており、比率（％）として６０の整数値が指定されている。また、この「削除条件」の管理項目としては、最終記録（印刷）日時が設定されている。すなわち、第１実施例においては、「記憶媒体」の使用領域容量の比率が６０％を超えた場合には、最終記録（印刷）日時が古いデジタル画像ファイルから順に削除されることになる。そして、削除候補確認タイミングは、メモリカード１０１又はＣＤ−ＲＷメディア５３１の挿入時に設定されており、削除確認タイミングは、インクジェットプリンタ５０のシステム終了時に設定されている。
【００５２】
まず、カードスロット５７にメモリカード１０１が挿入された時点で（ステップＳ１）、メモリカード１０１に保存されているファイル管理情報及び「削除条件」の情報を参照する。すなわち、設定されている削除候補確認タイミングで「削除条件」に基づいて、そのメモリカード１０１に保存されている全てのデジタル画像ファイルを参照して「削除条件」を充足するデジタル画像ファイルがあるか否かを判定する。具体的には、メモリカード１０１の使用領域容量の比率が６０％を超えているか否かを判定する（ステップＳ２）。メモリカード１０１の使用領域容量の比率が６０％を超えていない場合には（ステップＳ２でＮｏ）、そのまま操作パネル５６の表示画面が通常のメイン画面に遷移する（ステップＳ５）。
【００５３】
一方、メモリカード１０１の使用領域容量の比率が６０％を超えている場合には（ステップＳ２でＹｅｓ）、メモリカード１０１の使用領域容量の比率が６０％以下になるように最終記録（印刷）日時が古いデジタル画像ファイルから順に「削除候補ファイル」に分類し、削除候補確認画面（図１０）を操作パネル５６の表示画面に表示する（ステップＳ３）。この削除候補確認画面においては、その時点で「削除候補ファイル」に分類されているデジタル画像ファイルの一覧を画面表示し、「保留」ボタンが操作された場合には、そのまま操作パネル５６の表示画面を通常のメイン画面に遷移し（ステップＳ５）、「確定」ボタンが操作された場合には、「削除候補ファイル」に分類されているデジタル画像ファイルを「削除対象ファイル」に分類する（ステップＳ４）。また、「一覧を印刷」ボタンが操作された場合には、「削除候補ファイル」に分類されているデジタル画像ファイルの一覧を記録実行手段４０で記録紙Ｐに記録（印刷）する。
【００５４】
通常のメイン画面においては、インクジェットプリンタ５０の一連の操作を行うことができ、メモリカード１０１に保存されているデジタル画像ファイルの中から任意のデジタル画像ファイルを選択して所定の記録実行操作を行うことにより、記録紙Ｐへそのデジタル画像ファイルの画像を記録（印刷）することができる（ステップＳ７）。そして、所定の操作により通常のメイン画面から画像管理画面（図４）へ移行することもできる（ステップＳ６）。
【００５５】
インクジェットプリンタ５０の電源ＯＦＦ操作が行われた場合には、メモリカード１０１に「削除対象ファイル」に分類されているデジタル画像ファイルがあるときは、削除確認画面（図１２）を操作パネル５６の表示画面に表示する（ステップＳ８）。この削除確認画面において「削除対象一覧表示」ボタンが操作された場合には、操作パネル５６の表示画面を削除対象一覧画面（図１３）に遷移する（ステップＳ９）。この削除対象一覧画面には、その時点において「削除対象ファイル」に分類されているデジタル画像ファイルの一覧を表示し、その削除対象一覧画面において「一覧を印刷」ボタンが操作された場合には、「削除対象ファイル」に分類されているデジタル画像ファイルの一覧を記録実行手段４０で記録紙Ｐに記録（印刷）する。また、削除対象一覧画面において「確認」ボタンが操作された場合には、削除確認画面（図１２）へ戻る（ステップＳ８）。そして、削除確認画面において「削除実行」ボタンが操作された場合には、「削除対象ファイル」に分類されているデジタル画像ファイルを全てメモリカード１０１から削除し（ステップＳ１０）、その後インクジェットプリンタ５０の所定の電源ＯＦＦ制御手順を実行する（ステップＳ１１）。一方、削除確認画面において「保留」ボタンが操作された場合には、「削除対象ファイル」を削除せずに、そのままインクジェットプリンタ５０の所定の電源ＯＦＦ制御手順を実行する（ステップＳ１１）。
【００５６】
図１７は、ファイル管理手順の第２実施例を示したフローチャートである。  
第２実施例においては、「削除条件」として、記録実行手段４０で記録紙Ｐに記録（印刷）済みのファイルを「削除候補ファイル」に分類するという条件が設定されている。また、削除候補確認及び削除確認は、非設定となっている。そのため、「削除条件」を充足して「削除候補ファイル」に分類されたデジタル画像ファイルは、削除候補確認画面（図１０）が表示されることなく「削除対象ファイル」に分類される。そして、その「削除対象ファイル」に分類されたデジタル画像ファイルは、削除確認画面（図１２）が表示されることなく削除される。すなわち、第２実施例においては、記録紙Ｐへの記録を実行したデジタル画像ファイルは、そのまま確認画面が表示されることなく全て削除されることになる。
【００５７】
まず、カードスロット５７にメモリカード１０１が挿入された状態では（ステップＳ２１）、通常のメイン画面を操作パネル５６の表示画面に表示する（ステップＳ２２）。通常のメイン画面においては、所定の操作により通常のメイン画面から画像管理画面（図４）へ移行することもできる（ステップＳ２３）。また、通常のメイン画面においては、インクジェットプリンタ５０の一連の操作を行うことができる。例えば、メモリカード１０１に保存されているデジタル画像ファイルの中から任意のデジタル画像ファイルを選択して所定の記録実行操作を行うことにより、記録紙Ｐへそのデジタル画像ファイルの画像を記録（印刷）することができる（ステップＳ２４）。記録紙Ｐへの記録実行済みのデジタル画像ファイルは、そのまま「削除候補ファイル」に分類し（ステップＳ２５）、「削除候補ファイル」は、そのまま「削除対象ファイル」に分類する（ステップＳ２６）。さらに、「削除対象ファイル」は、そのままメモリカード１０１から削除する（ステップＳ２７）。そして、インクジェットプリンタ５０の電源ＯＦＦ操作が行われた場合には、所定の電源ＯＦＦ制御手順を実行する（ステップＳ２８）。
【００５８】
図１８は、ファイル管理手順の第３実施例を示したフローチャートである。  
第３実施例においては、「削除条件」として、メモリカード１０１又はＣＤ−ＲＷメディア５３１に保存されているデジタル画像ファイルの最大ファイル数が「削除条件」として指定されており、最大ファイル数として３０の整数値が指定されている。この「削除条件」の管理項目としては、最終更新日時が設定されている。すなわち、第３実施例においては、「記憶媒体」に保存されているデジタル画像ファイルのファイル数が３０を超えた場合には、最終更新日時が古いデジタル画像ファイルから順に削除されることになる。また、削除候補確認タイミング及び削除確認タイミングは、いずれもインクジェットプリンタ５０のシステム終了時に設定されている。さらに第３実施例においては、「保護条件」として、記録実行手段４０で記録紙Ｐに記録（印刷）済みのファイルを「保護対象ファイル」に分類するという条件が設定されている。したがって、記録紙Ｐに記録済みのデジタル画像ファイルは、無条件で自動削除対象から除外されて保護されることになる。
【００５９】
まず、カードスロット５７にメモリカード１０１が挿入された状態では（ステップＳ３１）、通常のメイン画面を操作パネル５６の表示画面に表示する（ステップＳ３２）。通常のメイン画面においては、所定の操作により通常のメイン画面から画像管理画面（図４）へ移行することもできる（ステップＳ３３）。また、通常のメイン画面においては、インクジェットプリンタ５０の一連の操作を行うことができる。例えば、メモリカード１０１に保存されているデジタル画像ファイルの中から任意のデジタル画像ファイルを選択して所定の記録実行操作を行うことにより、記録紙Ｐへそのデジタル画像ファイルの画像を記録（印刷）することができる（ステップＳ３４）。記録紙Ｐへの記録実行済みのデジタル画像ファイルは、そのまま「保護対象ファイル」に分類する（ステップＳ３５）。
【００６０】
インクジェットプリンタ５０の電源ＯＦＦ操作が行われた場合には、メモリカード１０１に保存されているファイル管理情報及び「削除条件」の情報を参照する。すなわち、設定されている削除候補確認タイミングで「削除条件」に基づいて、そのメモリカード１０１に保存されている全てのデジタル画像ファイルを参照して「削除条件」を充足するデジタル画像ファイルがあるか否かを判定する。具体的には、メモリカード１０１に保存されているデジタル画像ファイルのファイル数が３０を超えているか否かを判定する（ステップＳ３６）。ファイル数が３０を超えていない場合には（ステップＳ３６でＮｏ）、そのまま所定の電源ＯＦＦ制御手順を実行する（ステップＳ３８）。一方、ファイル数が３０を超えている場合には（ステップＳ３６でＹｅｓ）、ファイル数が３０以下となるように最終更新日時が古いデジタル画像ファイルから順に「削除候補ファイル」に分類し、削除候補確認画面（図１０）を操作パネル５６の表示画面に表示する（ステップＳ３７）。
【００６１】
この削除候補確認画面においては、その時点で「削除候補ファイル」に分類されているデジタル画像ファイルの一覧を画面表示し、「保留」ボタンが操作された場合には、そのまま操作パネル５６の表示画面を削除確認画面（図１２）に遷移する（ステップＳ３９）。「確定」ボタンが操作された場合には、「削除候補ファイル」に分類されているデジタル画像ファイルを「削除対象ファイル」に分類した後（ステップＳ３８）、操作パネル５６の表示画面を削除確認画面（図１２）に遷移する（ステップＳ３９）。また、「一覧を印刷」ボタンが操作された場合には、「削除候補ファイル」に分類されているデジタル画像ファイルの一覧を記録実行手段４０によって記録紙Ｐに記録（印刷）する。
【００６２】
この削除確認画面において「削除対象一覧表示」ボタンが操作された場合には、操作パネル５６の表示画面を削除対象一覧画面（図１３）に遷移する（ステップＳ４０）。この削除対象一覧画面には、その時点において「削除対象ファイル」に分類されているデジタル画像ファイルの一覧を表示し、その削除対象一覧画面において「一覧を印刷」ボタンが操作された場合には、「削除対象ファイル」に分類されているデジタル画像ファイルの一覧を記録実行手段４０によって記録紙Ｐに記録（印刷）する。削除対象一覧画面において「確認」ボタンが操作された場合には、削除確認画面（図１２）へ戻る（ステップＳ３９）。そして、削除確認画面において「削除実行」ボタンが操作された場合には、「削除対象ファイル」に分類されているデジタル画像ファイルを全てメモリカード１０１から削除し（ステップＳ４１）、その後インクジェットプリンタ５０の所定の電源ＯＦＦ制御手順を実行する（ステップＳ４２）。一方、削除確認画面において「保留」ボタンが操作された場合には、「削除対象ファイル」を削除せずに、そのままインクジェットプリンタ５０の所定の電源ＯＦＦ制御手順を実行する（ステップＳ４２）。
【００６３】
以上説明したように、本発明に係るインクジェットプリンタ５０は、「記憶媒体」に保存されているデジタル画像ファイルのうち、所定の「削除条件」を充足するデジタル画像ファイルが自動的に削除されることによって、ユーザにとって既に不要なデジタル画像ファイルが削除されないままメモリカード１０１等の記憶媒体に蓄積されてしまうことを防止することができる。それによって、その「記憶媒体」の空き領域が不要なデジタル画像ファイルによって無駄に消費されて「記憶媒体」の全容量を有効に利用していない状態となる虞を低減させることができる。したがって、このインクジェットプリンタ５０をスタンドアロンで利用するに際して、ユーザが煩わしい作業をすることなくカードスロット５７のメモリカード１０１又はＣＤ−ＲＷドライブ５３のＣＤ−ＲＷメディア５３１のファイル管理を適切に実行することができる。
【００６４】
また、ユーザが任意に「削除条件」を設定することができるので、ユーザ個々の用途に応じたデジタル画像ファイルの自動削除が可能になり、それによって、ユーザ個々の用途に応じた適切なデジタル画像ファイルの自動管理を実現することができる。  
さらに、所定の「保護条件」を充足したデジタル画像ファイル又はユーザが任意に選択した特定のデジタル画像ファイルは、「保護対象ファイル」に分類されて削除対象から除外されるので、ユーザが削除を望まないデジタル画像ファイルが当該「記憶媒体」からユーザの意に反して自動削除されてしまうことを防止することができる。
【００６５】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６６】
【図１】本発明に係るインクジェットプリンタの概略構成図である。
【図２】本発明に係るインクジェットプリンタのブロック図である。
【図３】操作パネルの表示画面の画面遷移図である。
【図４】画像管理画面を模式的に図示したものである。
【図５】削除条件設定画面を模式的に図示したものである。
【図６】確認タイミング設定画面を模式的に図示したものである。
【図７】保護条件設定画面を模式的に図示したものである。
【図８】自動ファイル削除の「削除条件」の一覧である。
【図９】削除候補確認画面の遷移条件を図示した遷移図である。
【図１０】削除候補確認画面を模式的に図示したものである。
【図１１】削除確認画面の遷移条件を図示した遷移図である。
【図１２】削除確認画面を模式的に図示したものである。
【図１３】削除対象一覧画面を模式的に図示したものである。
【図１４】記憶媒体に保存されているデジタル画像ファイルの分類遷移図である
【図１５】ファイル管理情報の一例を示した一覧表である。
【図１６】ファイル管理手順の第１実施例を示したフローチャートである。
【図１７】ファイル管理手順の第２実施例を示したフローチャートである。
【図１８】ファイル管理手順の第３実施例を示したフローチャートである。
【符号の説明】
【００６７】
１０  プリンタ制御装置、２０  ステーション制御装置、５０  インクジェットプリンタ、５１  プリンタ本体、５２  ドッキングステーション、５３  ＣＤ−ＲＷドライブ、５４  リモコン受信回路、５５  ＡＣアダプタ、５６  操作パネル、５７  カードスロット、６０  リモコン、１０１  メモリカード、５３１  ＣＤ−ＲＷメディア
【図１】
2007331121.tif 000003
【図２】
2007331121.tif 000004
【図３】
2007331121.tif 000005
【図４】
2007331121.tif 000006
【図５】
2007331121.tif 000007
【図６】
2007331121.tif 000008
【図７】
2007331121.tif 000009
【図８】
2007331121.tif 000010
【図９】
2007331121.tif 000011
【図１０】
2007331121.tif 000012
【図１１】
2007331121.tif 000013
【図１２】
2007331121.tif 000014
【図１３】
2007331121.tif 000015
【図１４】
2007331121.tif 000016
【図１５】
2007331121.tif 000017
【図１６】
2007331121.tif 000018
【図１７】
2007331121.tif 000019
【図１８】
2007331121.tif 000020